(57)【要約】【課題】排水弁を交換するとき、不適合な排水弁を取り付けることを確実に防止することができる排水弁装置等を提供する。【解決手段】本発明は、便器を洗浄する洗浄水を貯える洗浄水タンクの排水弁装置であり、支持軸42と、洗浄水タンク1に形成された排水口30に取り付けられた弁座44と、を備えた排水弁本体部32と、支持軸と係合して上下方向に揺動可能な係合部46と、この係合部に延伸部を介して接続され上下方向に揺動することにより弁座に離接して排水及び止水を行う弁体50と、を備えた排水弁（フラッパ弁）26と、を有し、排水弁本体部32aは、第１の突出部52を備え、この第１の突出部が、排水弁として適合な排水弁26aが取り付けられているときにはこの排出弁と当接することなく、排水及び止水を行うことができ、且つ、排水弁として不適合な排水弁26bが取り付けられたときには不適合な排水弁に設けられた第２の突出部54に当接し、止水できないようになっている。【選択図】図２
2010084443.tif 000002
【特許請求の範囲】
【請求項１】
便器を洗浄する洗浄水を貯える洗浄水タンクの排水弁装置であって、
水平方向に延びる支持軸と、上記洗浄水タンクの底面に形成された排水口に取り付けられた弁座と、を備えた排水弁本体部と、
上記支持軸と係合して上下方向に揺動可能な係合部と、この係合部に延伸部を介して接続され上下方向に揺動することにより上記弁座に離接して排水及び止水を行う弁体と、を備えた排水弁と、を有し、
上記排水弁本体部は、上方に突出した第１の突出部を備え、この第１の突出部が、上記排水弁として適合な排水弁が取り付けられているときにはこの排出弁と当接することなく、排水及び止水を行うことができ、且つ、上記排水弁として不適合な排水弁が取り付けられたときには不適合な排水弁に設けられた下方に突出した第２の突出部に当接し、止水できないように構成されていることを特徴とする排水弁装置。
【請求項２】
上記不適合な排水弁の第２の突出部は上記排水弁の延伸部に設けられ、上記排水弁本体部の第１の突出部は上記第２の突出部に対応した位置に設けられている請求項１記載の排水弁装置。
【請求項３】
上記不適合な排水弁の第２の突出部は上記排水弁の弁体の周囲の所定の箇所に設けられて、上記排水弁本体部の第１の突出部は上記第２の突出部に対応した位置に設けられている請求項１記載の排水弁装置。
【請求項４】
上記排水弁本体部の第１の突出部又は上記不適合な排水弁の第２の突出部は、上記支持軸が延びる方向に上記排水弁が変位又は移動しても上記排水弁の第２の突出部又は上記排水弁本体部の第１の突出部と当接できるような長さを有する請求項１乃至３の何れか１項に記載の排水弁装置。
【請求項５】
便器を洗浄する洗浄水を貯える洗浄水タンクの排水弁装置に使用される排水弁であって、
上記排水弁装置は、水平方向に延びる支持軸と、上記洗浄水タンクの底面に形成された排水口に取り付けられた弁座と、を備えた排水弁本体部を有し、
上記排水弁は、上記支持軸と係合して上下方向に揺動可能な係合部と、この係合部に延伸部を介して接続され上下方向に揺動することにより上記弁座に離接して排水及び止水を行う弁体と、下方に突出した第２の突出部と、を備え、
上記排水弁が、適合な排水弁として上記排水弁本体とに取り付けられているときには、排水及び止水を行うことができ、不適合な排水弁として上記排水弁本体部と異なる排水弁本体部に取り付けられたときには、上記排水弁の第２の突出部が、この異なる排水弁本体部に設けられた上方に突出する第１の突出部に当接し、止水できないように構成されていることを特徴とする排水弁。
【請求項６】
上記排水弁の第２の突出部は上記排水弁の延伸部に設けられている請求項５記載の排水弁。
【請求項７】
上記排水弁の第２の突出部は上記排水弁の弁体の周囲の所定の箇所に設けられている請求項５記載の排水弁装置。
【請求項８】
上記排水弁の第２の突出部は、上記支持軸が延びる方向に上記排水弁が変位又は移動しても上記異なる排水弁本体部の第１の突出部と当接できるような長さを有する請求項５乃至７の何れか１項に記載の排水弁。
【発明の詳細な説明】
【技術分野】
【０００１】
本発明は、洗浄水タンクの排水弁装置、及び、排水便装置の排水弁に関する。
【背景技術】
【０００２】
従来から、便器を洗浄する洗浄水を貯える洗浄水タンクには、排水口の開閉して吐水及び止水を行うためのフラッパ弁（排水弁）が使用されているが、このフラッパ弁は、長い期間に亘って使用されると、水に長期間さらされ且つ繰り返し開閉動作を行うことにより、劣化したり磨耗したりする。
【０００３】
このため、劣化したフラッパ弁は、変形したりピンホールが形成され、水密性が保持できなくなり、水漏れの原因となる。そのため、劣化したフラッパ弁は、新しいフラッパ弁に交換されて、置き換えられるようになっている。
【０００４】
このフラッパ弁を交換するとき、洗浄水タンクの仕様に併せて、複数の種類のフラッパ弁が存在するため、作業者が誤って、不適合なフラッパ弁を取り付けることがあった。
しかしながら、従来の洗浄水タンク装置の排水弁装置においては、例えば、特許文献１に示すように、不適合なフラッパ弁の取り付けを防止するような機構は設けられていないため、作業者がその点を認識して適合するフラッパ弁を取り替えるしかなく、それゆえ、不適合な排水弁を取り付けることを確実に防止することは困難であった。
【０００５】
【特許文献１】特開平９-２９１５８０号公報
【発明の開示】
【発明が解決しようとする課題】
【０００６】
上述したように、フラッパ弁を交換する際、不適合なフラッパ弁を取り付けた場合には、洗浄水タンクから吐水される洗浄水の量が必要な量よりも多くなったり、または、少なくなったりして、これにより、所定の洗浄機能が発揮できなくなり、問題である。
このような従来からの問題を解決するために、本発明者らは、種々の検討及び実験等を行うことにより、有効な防止策を見出したのである。
【０００７】
このように、本発明は、従来技術の問題点を解決するためになされたものであり、排水弁（フラッパ弁を含む）を交換するとき、不適合な排水弁を取り付けることを確実に防止することができる、洗浄水タンクの排水弁装置及び排水弁装置の排水弁の提供することを目的としている。
【課題を解決するための手段】
【０００８】
上記の目的を達成するために、本発明は、便器を洗浄する洗浄水を貯える洗浄水タンクの排水弁装置であって、水平方向に延びる支持軸と、洗浄水タンクの底面に形成された排水口に取り付けられた弁座と、を備えた排水弁本体部と、支持軸と係合して上下方向に揺動可能な係合部と、この係合部に延伸部を介して接続され上下方向に揺動することにより上記弁座に離接して排水及び止水を行う弁体と、を備えた排水弁と、を有し、排水弁本体部は、上方に突出した第１の突出部を備え、この第１の突出部が、排水弁として適合な排水弁が取り付けられているときにはこの排出弁と当接することなく、排水及び止水を行うことができ、且つ、排水弁として不適合な排水弁が取り付けられたときには不適合な排水弁に設けられた下方に突出した第２の突出部に当接し、止水できないように構成されていることを特徴としている。
このように構成された本発明においては、排水弁本体部が、上方に突出した第１の突出部を備え、この第１の突出部が、排水弁として適合な排水弁が取り付けられているときにはこの排出弁と当接することないので、排出弁は円滑に開閉動作して、排水及び止水を行うことができ、一方、排水弁として不適合な排水弁が取り付けられたときには、排水弁本体部の第１の突出部が不適合な排水弁に設けられた下方に突出した第２の突出部に当接するので、止水できないようになっている。これにより、排水弁を交換する作業員は、洗浄水タンクに洗浄水が貯水されないので、不適合な排水弁を取り付けたことに直ぐに気付く。この結果、本発明によれば、不適合な排水弁を取り付けることを確実に防止することができる。
【０００９】
本発明において、好ましくは、不適合な排水弁の第２の突出部は排水弁の延伸部に設けられ、排水弁本体部の第１の突出部は第２の突出部に対応した位置に設けられている。
このように構成された本発明によれば、不適合な排水弁を取り付けた場合、不適合な排水弁の延伸部に設けられた第２の突出部と、排水弁本体部の第１の突出部は第２の突出部とが当接するので、止水できないようになっている。これにより、排水弁を交換する作業員は、洗浄水タンクに洗浄水が貯水されないので、不適合な排水弁を取り付けたことに直ぐに気付き、不適合な排水弁を取り付けることを確実に防止することができる。
さらに、排水弁本体部の第１の突出部は、排水弁の延伸部に設けられた第２の突出部に対応した位置に設けられているので、適合な排水弁が設置された場合、第１の突出部は洗浄水が排出口から排出される際の抵抗となり難く、良好な排出性能を発揮することができる。
【００１０】
本発明において、好ましくは、不適合な排水弁の第２の突出部は排水弁の弁体の周囲の所定の箇所に設けられて、排水弁本体部の第１の突出部は第２の突出部に対応した位置に設けられている。
このように構成された本発明によれば、不適合な排水弁を取り付けた場合、不適合な排水弁の弁体の周囲の所定の箇所に設けられた第２の突出部と、排水弁本体部の第１の突出部は第２の突出部とが当接するので、止水できないようになっている。これにより、排水弁を交換する作業員は、洗浄水タンクに洗浄水が貯水されないので、不適合な排水弁を取り付けたことに直ぐに気付き、不適合な排水弁を取り付けることを確実に防止することができる。
さらに、排水弁本体部の第１の突出部は、排水弁の弁体の周囲の所定の箇所に設けられているので、不適合な排水弁を取り付けた場合、洗浄水排出時、弁体を下方に押さえつける水圧が作用して誤って閉弁するといった不具合を確実に防止することができる。
【００１１】
本発明において、好ましくは、排水弁本体部の第１の突出部又は不適合な排水弁の第２の突出部は、支持軸が延びる方向に排水弁が変位又は移動しても排水弁の第２の突出部又は排水弁本体部の第１の突出部と当接できるような長さを有する。
このように構成された本発明によれば、支持軸が延びる方向に排水弁が変位又は移動しても、第１の突出部と第２の突出部は当接し、止水できないようになっている。これにより、排水弁を交換する作業員は、洗浄水タンクに洗浄水が貯水されないので、不適合な排水弁を取り付けたことに直ぐに気付き、不適合な排水弁を取り付けることを確実に防止することができる。
さらに、吐出部同士が当接するようにするために、排水弁の変位又は移動を防ぐ規制部材等を新たに設ける必要がない。そのため、生産コスト、環境負荷を軽減することができる。
【００１２】
本発明は、便器を洗浄する洗浄水を貯える洗浄水タンク装置の排水弁装置に使用される排水弁であって、排水弁装置は、水平方向に延びる支持軸と、洗浄水タンクの底面に形成された排水口に取り付けられた弁座と、を備えた排水弁本体部を有し、排水弁は、支持軸と係合して上下方向に揺動可能な係合部と、この係合部に延伸部を介して接続され上下方向に揺動することにより弁座に離接して排水及び止水を行う弁体と、下方に突出した第２の突出部と、を備え、排水弁が、適合な排水弁として排水弁本体とに取り付けられているときには、排水及び止水を行うことができ、不適合な排水弁として排水弁本体部と異なる排水弁本体部に取り付けられたときには、排水弁の第２の突出部が、この異なる排水弁本体部に設けられた上方に突出する第１の突出部に当接し、止水できないように構成されている。
このように構成された本発明においては、排水弁が、適合な排水弁として排水弁本体とに取り付けられているときには、排出弁は円滑に開閉動作して、排水及び止水を行うことができ、不適合な排水弁として排水弁本体部と異なる排水弁本体部に取り付けられたときには、排水弁の第２の突出部が、この異なる排水弁本体部に設けられた上方に突出する第１の突出部に当接し、止水できないようになっている。これにより、排水弁を交換する作業員は、洗浄水タンクに洗浄水が貯水されないので、不適合な排水弁を取り付けたことに直ぐに気付く。この結果、本発明によれば、不適合な排水弁を取り付けることを確実に防止することができる。
【発明の効果】
【００１３】
本発明の洗浄水タンクの排水弁装置及び排水弁装置の排水弁（フラッパ弁を含む）によれば、排水弁を交換するとき、不適合な排水弁を取り付けることを確実に防止することができる。
【発明を実施するための最良の形態】
【００１４】
以下、図１乃至図１０により、本発明の実施形態による洗浄水タンクの排水弁装置及び排水弁装置の排水弁を説明する。
先ず、図１により、本発明の排水弁装置が適用される洗浄水タンクについて説明する。図１は本発明の排水弁装置が適用される洗浄水タンクを示す断面図である。
図１に示す洗浄水タンク１は、図示しない便器に取り付けられ、便器に洗浄水を排出するようになっている。この洗浄水タンク装置１は、便器の種類に応じて、貯水する洗浄水の量が異なっている。
【００１５】
図１に示すように、洗浄水タンク１内には、洗浄水タンク１内に洗浄水を供給して貯える給水装置２と、洗浄水タンク１に貯えられた洗浄水を便器に排出する排水弁装置４とが設けられている。
【００１６】
給水装置２は、外部の給水源に接続され洗浄水タンク１の底面６から上方に延びる給水管８と、この給水管８の上端部に取り付けられ給水管８から給水される洗浄水の洗浄水タンク１内への吐水・止水を切り替える給水バルブ１０と、洗浄水タンク１内の水位の変動に応じて上下動して給水バルブ１０による吐水・止水を切り替えるフロート１２とを備えている。
【００１７】
給水管８の外周側下端部には、吐出口１４が開口し、給水バルブ１０からの洗浄水がこの吐出口１４から洗浄水タンク１内に吐水されるようになっている。
給水装置２は、更に、給水バルブ１０に接続されたリフィール管１６を備え、このリフィール管１６の下流端は、後述するオーバーフロー管３６の上端開口に位置している。
【００１８】
給水装置２においては、後述する排水弁装置４により、洗浄水タンク１内の洗浄水が便器に排水されると、洗浄水の水位が低下してフロート１２が下降し、それにより給水バルブ１０が開き、吐水口１４から吐水が開始される、洗浄水タンク１内への吐水が開始される。次に、吐水が継続されて水位が上昇すると、フロート１２も上昇し、それにより給水バルブ１０が閉じ、吐水口１４が止水される。これにより、洗浄水タンク１内の洗浄水の水位を所定の満水時の水位に維持するようになっている。
【００１９】
次に、排水弁装置４を説明する。図１に示すように、排水弁装置４は、洗浄水タンク１の外部に取り付けられた操作レバー２０と、この操作レバー２０に取り付けられ操作レバー２０の操作により回転する洗浄水タンク１内に取り付けられた回転軸２２と、この回転軸２２の他端に取り付けられ回転軸２２の回転により上下動するようになっている鎖２４と、この鎖２４の下端に取り付けられた排水弁であるフラッパ弁２６と、このフラッパ弁２６より所定距離だけ上方の位置で鎖２４に取り付けられたフロート２８と、洗浄水タンク１の底面６に形成されたフラッパ弁２６により開閉され排水口３０と、この排水口３０に設けられた排水弁本体部３２と、を備えている。ここで、排水弁本体部３２は、内部通路３４を介して排水口３０に連通するように設けられたオーバーフロー管３６を備えている。
【００２０】
次に、図２乃至図７により、本発明の実施形態による排水弁装置を詳細に説明する。本発明の実施形態においては、少なくとも２種類の排水弁装置が適用される。即ち、図２乃至図４に示すハイシルエットの洗浄水タンクに取り付けられる第１のタイプの排水弁装置４ａ、図５乃至図７に示すローシルエットの洗浄水タンクに取り付けられる第２のタイプの排水弁装置４ｂである。
以下の説明において、第１のタイプの排水弁装置４ａ、及び、第２のタイプの排水弁装置４ｂにおいては、ぞれぞれ、符号に″ａ″及び″ｂ″を付することにする。
【００２１】
図２は、本発明の実施形態による第１のタイプの排水弁装置４ａを示す正面図であり、図３は図２の平面図であり、図４は、本発明の実施形態による第１のタイプの排水弁装置４ａの部品展開図である。
これらの図２乃至図４に示すように、第１のタイプの排水弁装置４ａは、上述したように、排水弁であるフラッパ弁２６ａと、排水弁本体部３２ａを備えている。ここで、排水弁本体部３２ａは、オーバーフロー管３６ａの下方の側面から水平方向に延びる一対の支持軸４２ａと、洗浄水タンク１の底面７に形成された排水口３０ａに取り付けられた弁座４４ａと、を備えている。
【００２２】
次に、排水弁であるフラッパ弁２６ａは、支持軸４２ａと係合して上下方向に揺動可能な係合部４６ａと、この係合部４６ａに延伸部４８ａを介して接続され上下方向に揺動することにより弁座４４ａに離接して排水及び止水を行う弁体５０ａと、を備えている。
さらに、第１のタイプの排水弁装置４ａにおいては、排水弁本体部３２ａのフラッパ弁２６ａの延伸部４８ａの下方に位置する部分に、上方に突出した突出部（第１の突出部）５２が形成されている。この第１のタイプの排水弁装置４ａの排水弁本体部３２ａの突出部５２は、後述する第２のタイプの排水弁装置４ｂのフラッパ弁２６ｂが、誤って、不適合な第１のタイプの排水弁装置４ａのフラッパ弁として使用されたときに、フラッパ弁２６ｂの延伸部４８ｂに形成された下方に突出した突出部（第２の突出部）５４と当接する位置に形成されている。
【００２３】
このような第１のタイプの排水弁装置４ａにおいて、排水弁本体部３２ａに排水弁である適合するフラッパ弁２６ａを取り付けた場合、排水弁本体部３２ａの上方に突出した突出部（第１の突出部）５２に、フラッパ弁２６ａが、上下方向に揺動して洗浄水を吐水及び止水するときでも当接しないようになっている。それゆえ、第１のタイプの排水弁装置４ａにおいては、適合するフラッパ弁２６ａが取り付けられた場合には、支障なく、洗浄水の吐水及び止水ができるようになっている。
【００２４】
次に、図５乃至図７に示すように、第２のタイプの排水弁装置４ｂは、第１のタイプのものとは形状及び寸法等の異なる、フラッパ弁２６ｂ、及び、排水弁本体部３２ｂを備えている。ここで、排水弁本体部３２ｂは、オーバーフロー管３６ｂの下方の側面から水平方向に延びる一対の支持軸４２ｂと、洗浄水タンク１の底面６に形成された排水口３０ｂに取り付けられた弁座４４ｂと、を備えている。
【００２５】
次に、排水弁であるフラッパ弁２６ｂは、支持軸４２ｂと係合して上下方向に揺動可能な係合部４６ｂと、この係合部４６ｂに延伸部４８ｂを介して接続され上下方向に揺動することにより弁座４４ｂに離接して排水及び止水を行う弁体５０ｂと、を備えている。なお、第２のタイプの排水弁装置４ｂの排水弁本体部３２ｂには、第１のタイプにおいて設けられた上方に突出した突出部（第１の突出部）５２は設けられていない。
さらに、第２のタイプの排水弁装置４ｂにおいては、フラッパ弁２６ｂの延伸部４８ｂに下方に突出した突出部（第２の突出部）５４が形成されている。第２のタイプの排水弁装置４ｂのフラッパ弁２６ｂの突出部（第２の突出部）５４は、この第２のタイプの排水弁装置４ｂのフラッパ弁２６ｂが、誤って、第１のタイプの排水弁装置４ａに使用されたときに、第１のタイプの排水弁本体部３２ａの突出部（第１の突出部）５２に当接する位置に形成されている。
【００２６】
このような第２のタイプの排水弁装置４ｂにおいて、排水弁本体部３２ｂに排水弁である適合するフラッパ弁２６ｂを取り付けた場合、フラッパ弁２６ｂの突出部（第２の突出部）５４は、上下方向に揺動して洗浄水を吐水及び止水するとき、排水弁本体部３２ｂのどの部位にも当接しないので、支障なく、洗浄水の吐水及び止水ができるようになっている。
【００２７】
次に、図８及び図９により、第１のタイプの排水弁装置４ａの排水弁本体部３２ａに、誤って、不適合な第２のタイプの排水弁装置４ｂのフラッパ弁２６ｂを取り付けた場合を説明する。図８は、本発明の実施形態による、第１のタイプの排水弁装置４ａの排水弁本体部３２ａに、誤って、不適合な第２のタイプの排水弁装置４ｂのフラッパ弁２６ｂを取り付けた場合を示す正面図であり、図９は、図８と同様な場合の斜視図である。
【００２８】
図８及び図９に示すように、第１のタイプの排水弁装置４ａの排水弁本体部３２ａに、誤って、不適合な第２のタイプの排水弁装置４ｂのフラッパ弁２６ｂを取り付けた場合には、第１のタイプの排水弁本体部３２ａの上方に突出した突出部（第１の突出部）５２の先端部と、第２のタイプの不適合なフラッパ弁２６ｂの下方に突出した突出部（第２の突出部）５４の下端部とが当接し、フラッパ弁２６ｂが、閉じなくなり、排水口３０ａが開放状態となる。この結果、給水装置２から洗浄水タンク１内に給水しても、洗浄水タンク１内に洗浄水が貯水されることがないので、作業者は、直ぐに、取り付けたフラッパ弁２６ｂが不適合なものであることに気付くことができる。
【００２９】
次に、図１０により、第１のタイプの排水弁装置４ａの排水弁本体部３２ａの第１の突出部５２と、第２のタイプの排水弁装置４ｂのフラッパ弁２６ｂの第２の突出部５４との形状及び寸法を説明する。
図１０（ａ）は、不適合なフラッパ弁２６ｂが取り付けられた状態（図８参照）の排水弁装置４ａを示す部分拡大平面図であり、図１０（ｂ）は、不適合なフラッパ弁２６ｂの第２の突出部５４の下端部を示す拡大平面図であり、図１０（ｃ）は、排水弁本体部３２ａの第１の突出部５２の上端部を示す拡大平面図である。
【００３０】
上述したフラッパ弁２６ａ，２６ｂは、それぞれ、弾性変形可能なゴム製であり、平面視で、Ｘ軸方向（幅方向）及びＹ軸方向（長手方向）の何れにも、変位又は移動可能となっている。そのため、フラッパ弁２６ｂが、Ｘ軸方向及びＹ軸方向にどのように変位又は移動しても、第１のタイプの排水弁本体部３２ａの第１の突出部５２の先端部と、第２のタイプの不適合なフラッパ弁２６ｂの第２の突出部５４の下端部とが必ず当接するような形状及び寸法（長さ）となっている。具体的には、フラッパ弁２６ｂの第２の突出部５４の下端部は、Ｘ方向（幅方向）に３．５ｍｍ〜４．１ｍｍであり、Ｙ方向（長手方向）に６．７ｍｍ〜７．３ｍｍであり、一方、排水弁本体部３２ａの第１の突出部５２の上端部は、Ｘ方向（幅方向）に１０．７ｍｍ〜１１．３ｍｍであり、Ｙ方向（長手方向）に２．２ｍｍ〜２．８ｍｍである。
【００３１】
以上説明したように、本実施形態による排水弁装置によれば、排水弁であるフラッパ弁を交換するとき、不適合なフラッパ弁を取り付けることを確実に防止することができる。
【００３２】
次に、図１１により本発明の実施形態の第１変形例を説明する。図１１（ａ）は本発明の実施形態の第１変形例による不適合なフラッパ弁が取り付けられた状態の排水弁装置を示す概略正面図であり、図１１（ｂ）は、同様な概略平面図である。
この本実施形態の第１変形例においては、フラッパ弁２６ｂの第２の突出部５４が、その弁体５０ｂの係合部４６ｂから最も離れている位置に形成され、一方、排水弁本体部３２ａの第１の突出部５２は、フラッパ弁２６ｂの第２の突出部５４に対応した位置、即ち、弁座４４ａの支持軸４２ａから最も離れた位置に形成されている。
この第１変形例による排水弁装置においても、上述した本実施形態による排水弁装置と同様に、排水弁であるフラッパ弁を交換するとき、直ぐに、取り付けたフラッパ弁２６ｂが不適合なものであることに気付き、その結果、不適合なフラッパ弁を取り付けることを確実に防止することができる。
【００３３】
次に、図１２により本発明の実施形態の第２変形例を説明する。図１２（ａ）は本発明の実施形態の第２変形例による不適合なフラッパ弁が取り付けられた状態の排水弁装置を示す概略正面図であり、図１２（ｂ）は、同様な概略平面図である。
この本実施形態の第２変形例においては、フラッパ弁２６ｂの第２の突出部５４が、その弁体５０ｂの両側の位置に形成され、一方、排水弁本体部３２ａの第１の突出部５２は、フラッパ弁２６ｂの第２の突出部５４に対応した位置、即ち、弁座４４ａの両側の位置に形成されている。
この第２変形例による排水弁装置においても、上述した本実施形態による排水弁装置と同様に、排水弁であるフラッパ弁を交換するとき、直ぐに、取り付けたフラッパ弁２６ｂが不適合なものであることに気付き、その結果、不適合なフラッパ弁を取り付けることを確実に防止することができる。
【００３４】
次に、図１３により本発明の実施形態の第３変形例を説明する。図１３（ａ）は本発明の実施形態の第３変形例による不適合なフラッパ弁が取り付けられた状態の排水弁装置を示す概略正面図であり、図１３（ｂ）は、同様な概略平面図である。
この本実施形態の第３変形例においては、フラッパ弁２６ｂの第２の突出部５４の位置及び排水弁本体部３２ａの第１の突出部５２の位置は、それぞれ、上述した本実施形態のものと同じであるが、第３変形例においては、排水弁本体部３２ａの第１の突出部５２の上端部が球形状（又は半球形状）となっている。
この第３変形例による排水弁装置においても、上述した本実施形態による排水弁装置と同様に、排水弁であるフラッパ弁を交換するとき、直ぐに、取り付けたフラッパ弁２６ｂが不適合なものであることに気付き、その結果、不適合なフラッパ弁を取り付けることを確実に防止することができる。
【００３５】
次に、図１４により本発明の実施形態の第４変形例を説明する。図１４（ａ）は本発明の実施形態の第４変形例による不適合なフラッパ弁が取り付けられた状態の排水弁装置を示す概略正面図であり、図１４（ｂ）は、同様な概略平面図である。
この本実施形態の第４変形例においては、フラッパ弁２６ｂの第２の突出部５４の位置及び排水弁本体部３２ａの第１の突出部５２の位置は、それぞれ、上述した本実施形態のものと同じであるが、第４変形例においては、排水弁本体部３２ａの第１の突出部５２の上端部が線形状となっている。
この第４変形例による排水弁装置においても、上述した本実施形態による排水弁装置と同様に、排水弁であるフラッパ弁を交換するとき、直ぐに、取り付けたフラッパ弁２６ｂが不適合なものであることに気付き、その結果、不適合なフラッパ弁を取り付けることを確実に防止することができる。
【図面の簡単な説明】
【００３６】
【図１】本発明の排水弁装置が適用される洗浄水タンクを示す断面図である。
【図２】本発明の実施形態による第１のタイプの排水弁装置を示す正面図である。
【図３】図２の平面図である。
【図４】本発明の実施形態による第１のタイプの排水弁装置の部品展開図である。
【図５】本発明の実施形態による第２のタイプの排水弁装置を示す正面図である。
【図６】図５の平面図である。
【図７】本発明の実施形態による第２のタイプの排水弁装置の部品展開図である。
【図８】本発明の実施形態による、第１のタイプの排水弁装置の排水弁本体部に、誤って、不適合な第２のタイプの排水弁装置のフラッパ弁を取り付けた場合を示す正面図である。
【図９】本発明の実施形態による、第１のタイプの排水弁装置の排水弁本体部に、誤って、不適合な第２のタイプの排水弁装置のフラッパ弁を取り付けた場合を示す斜視図である。
【図１０】図１０（ａ）は、不適合なフラッパ弁が取り付けられた状態（図８参照）の排水弁装置を示す部分拡大平面図であり、図１０（ｂ）は、不適合なフラッパ弁の第２の突出部の下端部を示す拡大平面図であり、図１０（ｃ）は、排水弁本体部の第１の突出部の上端部を示す拡大平面図である。
【図１１】図１１（ａ）は本発明の実施形態の第１変形例による不適合なフラッパ弁が取り付けられた状態の排水弁装置を示す概略正面図であり、図１１（ｂ）は、同様な概略平面図である。
【図１２】図１２（ａ）は本発明の実施形態の第２変形例による不適合なフラッパ弁が取り付けられた状態の排水弁装置を示す概略正面図であり、図１２（ｂ）は、同様な概略平面図である。
【図１３】図１３（ａ）は本発明の実施形態の第３変形例による不適合なフラッパ弁が取り付けられた状態の排水弁装置を示す概略正面図であり、図１３（ｂ）は、同様な概略平面図である。
【図１４】図１４（ａ）は本発明の実施形態の第４変形例による不適合なフラッパ弁が取り付けられた状態の排水弁装置を示す概略正面図であり、図１４（ｂ）は、同様な概略平面図である。
【符号の説明】
【００３７】
１，１ａ，１ｂ  洗浄水タンク
２  給水装置
４，４ａ，４ｂ  排水弁装置
６  底面
８  給水管
１０  給水バルブ
１２  フロート
１４  吐水口
１６  リフィール管
２０  操作レバー
２２  回転軸
２４  鎖
２６，２６ａ，２６ｂ  フラッパ弁
２８  フロート
３０  排水口
３２，３２ａ，３２ｂ  排水弁本体部
３４  内部通路
３６  オーバーフロー管
４２，４２ａ，４２ｂ  支持軸
４４，４４ａ，４４ｂ  弁座
４６，４６ａ，４６ｂ  係合部
４８，４８ａ，４８ｂ  延伸部
５０，５０ａ，５０ｂ  弁体
５２  上方へ突出した突出部（第１の突出部）
５４  下方へ突出した突出部（第２の突出部）
【図１】
2010084443.tif 000003
【図２】
2010084443.tif 000004
【図３】
2010084443.tif 000005
【図４】
2010084443.tif 000006
【図５】
2010084443.tif 000007
【図６】
2010084443.tif 000008
【図７】
2010084443.tif 000009
【図８】
2010084443.tif 000010
【図９】
2010084443.tif 000011
【図１０】
2010084443.tif 000012
【図１１】
2010084443.tif 000013
【図１２】
2010084443.tif 000014
【図１３】
2010084443.tif 000015
【図１４】
2010084443.tif 000016